(57)【特許請求の範囲】
【請求項１】
ケーシング前部に形成された開口部と、前記ケーシングの上部に形成されて開口部前面にエアカーテンを形成する冷気吹出口と、この冷気吹出口に設けられ、吹出される冷気を整流する空気整流体とを備える冷蔵ショーケースにおいて、前記空気整流体の前後端部の一方に、空気整流体の一端部を保持可能な上下１対の突片を有する垂直片と、この垂直片の上部に、これより離間する方向に弾性付勢されて斜め下方に延設され、かつ下端に垂直片方向を向く落下防止段部を有する係止片と、前記落下防止段部の遊端から下向きに延出する着脱操作片とを備える保持部材を、前記１対の突片を空気整流体の一端部に嵌合することにより取付け、かつ前記係止片の落下防止段部を、前記冷気吹出口の一方の壁に形成された係合孔に弾性係合させることにより、前記空気整流体を冷気吹出口に着脱可能に装着したことを特徴とする冷蔵ショーケース。
【請求項２】
垂直片の下端に、着脱操作片を、係止片の着脱操作片と対向するようにして下向きに延設してなる請求項１記載の冷蔵ショーケース。
【請求項３】
係合孔が形成された壁の下部を、冷気吹出口から離れる方向に傾斜する傾斜面とした、請求項１または２記載の冷蔵ショーケース。
【請求項４】
係合孔が形成された壁と対向する他方の壁が、空気整流体の他方の下端部を受け止める受け止め段部を備える、請求項１〜３のいずれかに記載の冷蔵ショーケース。
【発明の詳細な説明】
【０００１】
【発明の属する技術分野】
本発明は、エアカーテン式冷蔵ショーケースに関し、より詳細には、着脱容易な空気整流体を備える冷蔵ショーケースに関する。
【０００２】
【従来の技術】
従来、着脱可能な空気整流体を備える冷蔵ショーケースの一例として、実開平７−２２３８０号公報に開示されているものがある。
この冷蔵ショーケースは、ケーシングの前部に形成された開口部と、ケーシングの上部に形成されてエアカーテンを形成する冷気吹出口と、この冷気吹出口に設けられて吹出される冷気を整流する空気整流体とを備えており、空気整流体は、空気整流体の前後端部の一方に設けた保持部材を、空気吹出口の壁に形成された係合凹部に係合することにより、空気吹出口に取付けられている。
【０００３】
【発明が解決しようとする課題】
しかし、上記の冷蔵ショーケースは、空気整流体を空気吹出口に装着するとき、保持部材が脱落し易く、空気吹出口に空気整流体を装着しにくいという問題点を有している。
【０００４】
本発明は、上記の問題点に鑑み、空気整流体を空気吹出口に装着し易く、かつ取り外し容易な冷蔵ショーケースを提供することを目的としている。
【０００５】
【課題を解決するための手段】
本発明によると、上記課題は、次のようにして解決される。
(１)  ケーシング前部に形成された開口部と、前記ケーシングの上部に形成されて開口部前面にエアカーテンを形成する冷気吹出口と、この冷気吹出口に設けられ、吹出される冷気を整流する空気整流体とを備えた冷蔵ショーケースにおいて、前記空気整流体の前後端部の一方に、空気整流体の一端部を保持可能な上下１対の突片を有する垂直片と、この垂直片の上部に、これより離間する方向に弾性付勢されて斜め下方に延設され、かつ下端に垂直片方向を向く落下防止段部を有する係止片と、前記落下防止段部の遊端から下向きに延出する着脱操作片とを備える保持部材を、前記１対の突片を空気整流体の一端部に嵌合することにより取付け、かつ前記係止片の落下防止段部を、前記冷気吹出口の一方の壁に形成された係合孔に弾性係合させることにより、前記空気整流体を冷気吹出口に着脱可能に装着する。
【０００６】
(２)  上記(１)項において、垂直片の下端に、着脱操作片を、係止片の着脱操作片と対向するようにして下向きに延設する。
【０００７】
(３)  上記(１)または(２)項において、係合孔が形成された壁の下部を、冷気吹出口から離れる方向に傾斜する傾斜面とする。
【０００８】
(４)  上記(１)〜(３)項のいずれかにおいて、係合孔が形成された壁と対向する他方の壁が、空気整流体の他方の下端部を受け止める受け止め段部を備えている。
【０００９】
【発明の実施の形態】
以下、本発明の実施の形態を、図１〜図３に基づいて説明する。
なお、以下の説明において、「前」とは、図１、図２における左側を言う。
【００１０】
図１は、本発明に係わる冷蔵ショーケース(１)の概略斜視図である。
この冷蔵ショーケース(１)のケーシング(２)は、左右側板(３)と、側板(３)の間にて左右に延びる天井(４)と、底部(５)と、背板（図示省略）と、前部仕切板(６)とを備えている。左右側板(３)の間には棚板(７)が設けられている。
【００１１】
ケーシング(２)内には、前部開口部(８)から冷凍食品または保冷食品が出入されて陳列されるようになっている。
【００１２】
図２に示すように、天井(４)には、冷気を案内する上下２列の冷気通路(９)(10)が薄い鉄板を折り曲げ形成されて設けられている。冷気通路(９)(10)は、筒状の樹脂成形品であってもよい。
冷気通路(９)(10)の冷気吹出口(11)(12)は、エアカーテンを形成するべく下向きに形成されている。
【００１３】
冷気吹出口(11)(12)には、空気整流体(13)(13)が保持部材(14)(14)によって着脱可能に装着されている。
空気整流体(13)は、上下方向に細い通し孔がハニカム状に複数形成されたプラスチック製品であり、多少の弾性を備えている。
空気整流体(13)は、ケーシング(２)内に２重のエアカーテンを安定的に形成するものであり、このエアカーテンにより内部の陳列品は、外部から侵入しようとする外気、塵埃から保護されるようになっている。
【００１４】
冷却装置（図示省略）から供給される冷気は、空気整流体(13)を通過するので、長期間使用すると、空気整流体(13)の上部に塵埃が堆積する。このため、空気整流体(13)は、定期的に塵埃を取り除いたり取り替えたりする必要がある。
【００１５】
保持部材(14)は、弾性を備えた樹脂成形品であり、図３に示すように、空気整流体(13)に取付けられる垂直片(15)と、この垂直片(15)の上部から斜め下方に延設され、かつ垂直片(15)から離間する方向に弾性付勢された係止片(16)とを有している。
【００１６】
垂直片(15)と係止片(16)は、それぞれ、下端部に延設された着脱操作片(17)(18)を有している。
垂直片(15)には、空気整流体(13)を上下方向から位置規制する上下１対の突片(19)(19)が突設されている。
【００１７】
図２に示すように、２つの冷気吹出口(11)(12)の形状は、互いにほぼ対称な形状をしているため、前方の冷気吹出口(11)のみ説明し、後方の冷気吹出口(12)については、前方の冷気吹出口(11)と同一部分に同一符号を付して、その部分の説明は省略する。
【００１８】
冷気吹出口(11)の一方の壁(20)には、係止片(16)の一部分を受け入れる係合孔(21)が形成されている。この一方の壁(20)の下部は、冷気吹出口(11)から離れる方向に傾斜した傾斜面(22)となっている。傾斜面(22)は、空気整流体(13)を着脱するときの案内面となる。
【００１９】
上記一方の壁(20)と対向する他方の壁(23)には、空気整流体(13)の下端部を受け止める受け止め段部(24)が形成されている。受け止め段部(24)の上方には、空気整流体(13)の浮上りを阻止する浮上り防止部(25)が形成されている。
【００２０】
前方の冷気吹出口(11)に空気整流体(13)を装着するには、先ず、空気整流体(13)の一端を保持部材(14)の上下１対の突片(19)(19)間に装着する。
その後、空気整流体(13)の他端を冷気吹出口(11)の受け止め段部(24)と浮上り防止部(25)との間に挿入し、係止片(16)を傾斜面(22)を案内にして係合孔(21)に挿入する。
【００２１】
すると、保持部材(14)の弾性によって、係止片(16)は、垂直片(15)から離れ、係合孔(21)に係合するとともに、空気整流体(13)を他方の壁(23)に押圧する。
また、係止片(16)は、落下防止段部(26)を有しており、この落下防止段部(26)が係合孔(21)の下端に引っ掛かって落下防止される。
従って、空気整流体(13)は、他方の壁(23)に押圧され、かつ落下防止されて冷気吹出口(11)に装着される。
【００２２】
後方の冷気吹出口(12)にも、同様にして空気整流体(13)を装着することができる。
【００２３】
空気整流体(13)を冷気吹出口(11)(12)から取り外すには、保持部材(14)の１対の着脱操作片(17)(18)を弾性に抗して摘み、係止片(16)を垂直片(15)に接近させて、係合孔(21)から抜け出させてから、保持部材(14)を下方に引く。すると、空気整流体(13)の一端が下がり、空気整流体(13)は、傾いた状態になって、冷気吹出口(11)から取り外すことができる。
【００２４】
【発明の効果】
請求項１に記載の発明によれば、空気整流体の一方の端部に取付けた保持部材における係止片の落下防止段部を、冷気吹出口の一方の壁に設けた係合孔に弾性係合させるだけで、空気整流体を、係止片の弾性により他方の壁に押圧した状態で、冷気吹出口に容易に装着することができ、かつ装着後において、落下防止段部が係合孔の下端に係止しうるので、空気整流体の落下が防止される。
また、係止片の着脱操作片を、垂直片と接近する方向に弾性変形させ、係合孔から係止片を離脱させることにより、空気整流体を冷気吹出口より容易に取り外すことができる。
【００２５】
請求項２に記載の発明によれば、垂直片の下端に延設された着脱操作片と、係止片の着脱操作片とをつまんで、係止片を係合孔より容易に離脱させることができ、空気整流体の着脱が容易になる。
【００２６】
請求項３に記載の発明によれば、係合孔が形成された壁の下部を、冷気吹出口から離れる方向に傾斜した傾斜面としてあるので、傾斜面を案内にして空気整流体を冷気吹出口に容易に装着することができる。
【００２７】
請求項４に記載の発明によれば、係合孔が形成された壁と対向する他方の壁が、空気整流体の他方の下端部を受け止める受け止め段部を備えているので、空気整流体を冷気吹出口に確実に取付けることができる。
【図面の簡単な説明】
【図１】  本発明に係る冷蔵ショーケースの外観斜視図である。
【図２】  図１中のＩＩ−ＩＩ線に沿った矢視断面図であり、天井の前部を省略した図である。
【図３】  保持部材と空気整流体との装着状態を示す斜視図である。
【符号の説明】
(１)冷蔵ショーケース
(２)ケーシング
(３)側板
(４)天井
(５)底部
(６)前部仕切板
(７)棚板
(８)前部開口部
(９)冷気通路
(10)冷気通路
(11)冷気吹出口
(12)冷気吹出口
(13)空気整流体
(14)保持部材
(15)垂直片
(16)係止片
(17)着脱操作片
(18)着脱操作片
(19)突片
(20)一方の壁
(21)係合孔
(22)傾斜面
(23)他方の壁
(24)受け止め段部
(25)浮上り防止部
(26)落下防止段部
【図１】
0004002331.tif 000002
【図２】
0004002331.tif 000003
【図３】
0004002331.tif 000004